(57)【要約】【課題】    組立前の導電部材と絶縁部材の挿入方向寸法を同一寸法にすることなく、異電位の導電部材との短絡保護および組み合わせ部材導電部の接触不良防止を可能にする短絡保護用の絶縁部材を提供する。【解決手段】    複数の組み合わせ部材間を接続する導電部材２と、該導電部材２を絶縁する絶縁部材９と、前記導電部材２に隣接して接続される異電位を有する導電部材３とで構成される装置において、前記絶縁部材９を従来のストレートな筒型形状から片側もしくは両端開口部が、ラッパ状に開口した筒型形状に構成した。【選択図】  図２
2008289261.tif 000002
【特許請求の範囲】
【請求項１】
複数の組み合わせ部材間を接続する導電部材と、前記導電部材を絶縁する絶縁部材と、前記導電部材に隣接して接続される異電位を有する導電部材とで構成される装置において、前記絶縁部材の片端もしくは両端開口部が、ラッパ状に開口した筒型形状に構成されていることを特徴とする異電位導電部材間の短絡保護用絶縁部材。
【請求項２】
電源回路基板と制御回路基板の２枚構成のプリント基板から成る電子機器において、制御回路基板に電源を供給するために、プリント基板間を電気的に接続する導電部材と、前記導電部材を絶縁する絶縁部材と、前記導電部材に隣接して接続される異電位を有する導電部材とで構成され、前記絶縁部材の片端もしくは両端開口部が、ラッパ状に開口した筒型形状であることを特徴とする電子機器。
【請求項３】
電動機をインバータで駆動する制御装置において、インバータ部のパワー回路基板とコンバータ部のパワー回路基板と、インバータ部および／又はコンバータ部の制御回路とモータを駆動制御する制御回路に電源を供給する電源回路基板と、モータを駆動制御する制御回路基板とを有し、
前記の各基板間を電気的に相互接続する導電部材と、前記導電部材を絶縁する絶縁部材と、前記導電部材に隣接して接続される異電位を有する導電部材とで構成され、前記絶縁部材の片端もしくは両端開口部が、ラッパ状に開口した筒型形状であることを特徴とする制御装置。
【発明の詳細な説明】
【技術分野】
【０００１】
本発明は、粉塵等による異電位導電部材間の短絡保護を目的とした絶縁部材の構造に関する。
【背景技術】
【０００２】
従来、粉塵等による異電位導電部材間の短絡保護を目的とした絶縁部材を有する装置は図３に示すようになっている。図３において、１は絶縁部材、２は導電部材、３は異電位の導電部材、４は組み合わせ部材Ａ（例えば、プリント基板Ａ）、５は組み合わせ部材Ａの導電部、６は組み合わせ部材Ｂ（例えば、プリント基板Ｂ）、７は組み合わせ部材Ｂの導電部、８はネジである。
このように、従来の導電部材２、および異電位の導電部材３の短絡を保護するための構造は、導電部材２に絶縁部材１を挿入して粉塵等による異電位の導電部材３との短絡を防止していた。
なお、組み合わせ部材ＡとＢをスタッドとネジによって接続する構造は、特許文献１にプリント基板の接続構造として開示されているが、電気的接続を行う導電部材（特許文献１ではスタッド）間の絶縁構造について、具体的に開示されている例は見当らない。
【特許文献１】実開平１−１１８４７４号公報
【発明の開示】
【発明が解決しようとする課題】
【０００３】
従来の粉塵等による異電位導電部材間の短絡保護構造は、組立状態において導電部材２と組み合わせ部材Ａ、Ｂの導電部５、７の厚さを加えた寸法、および絶縁部材１の挿入方向寸法を同一にすることが必要である（図４を参照）。しかし、部品寸法公差および組立公差のバラツキにより同一寸法にすることが困難であり、挿入方向の隙間の発生等により絶縁効果が不充分になる場合があった。また、挿入方向寸法において、導電部材２と組み合わせ部材の導電部厚さを加えた長さより絶縁部材１が長い場合、４の組み合わせ部材Ａおよび５の組み合わせ部材Ｂのそれぞれの導電部５、７の部分に接触不良が発生する可能性があるという問題もあった。
本発明はこのような問題点に鑑みてなされたものであり、組立前の導電部材と絶縁部材の挿入方向寸法を同一寸法にすることなく、異電位の導電部材との短絡保護および組み合わせ部材導電部の接触不良防止を可能にする短絡保護用の絶縁部材を提供することを目的とする。
【課題を解決するための手段】
【０００４】
上記問題を解決するため、本発明は、次のように構成したのである。
請求項１に記載の発明は、複数の組み合わせ部材間を接続する導電部材と、前記導電部材を絶縁する絶縁部材と、前記導電部材に隣接して接続される異電位を有する導電部材と、で構成される装置において、前記絶縁部材をストレートな筒型形状から片側もしくは両端開口部が、ラッパ状に開口した筒型形状に構成したものである。
【発明の効果】
【０００５】
請求項１に記載の発明によると、挿入方向寸法において、導電部材より絶縁部材の寸法を長くとり、組立時の挿入方向への圧縮力により、絶縁部材のラッパ形状の開口部が広げられ、組み合わせ部材に密着することで、粉塵等による異電位導電部材との短絡保護の効果が得られる。
また、組立時の挿入方向圧縮力により、絶縁部材のラッパ形状の開口部は外側方向に広がるため、絶縁部材開口部の導電部への噛み込みを防止し、接触不良を防ぐ効果が得られる。
【発明を実施するための最良の形態】
【０００６】
以下、本発明の実施の形態について図を参照して説明する。
【実施例】
【０００７】
図１は、本発明に係わる導電部材の短絡保護用絶縁部材と、その周辺部材を示したものである。図３の従来例と同一部分については、同一の符号で示している。図２は図１の断面図であり、従来例を示す図４と同一部分については、同一の符号で示している。
図１、図２において、従来例と異なるのは絶縁部材９の構造のみであり、その他については従来例と同一である。以下に全体の構成を図２に基づいて説明する。
図２において、組み合わせ部材Ａの導電部５と組み合わせ部材Ｂの導電部７を接続する導電部材２と異電位の導電部材３があり、導電部材２と異電位の導電部材３間の粉塵等による短絡保護のために、導電部材２に絶縁部材９を挿入してネジ８で固定する。
【０００８】
本発明による絶縁部材９は、従来例のストレートな円筒形状から片端の開口部がラッパ形状になるように広げた。また、導電部材２と組み合わせ部材ＡとＢの導電部５、７の厚さを加えた長さより、絶縁部材９の寸法を長くした。
このような構造とすることにより、組立時のネジ締めによる挿入方向への圧縮力により、絶縁部材９のラッパ形状開口部１０が広げられ、６の組み合わせ部材Ｂに密着することで、粉塵等による異電位の導電部材３との短絡保護の効果が得られる。また、組立時のネジ締めによる挿入方向圧縮力により、絶縁部材９のラッパ形状開口部１０は外側方向に広がるため、ラッパ形状開口部１０が組み合わせ部材Ｂの導電部７に噛み込むのを防止して、接触不良を防ぐことができる。
上記の構成では、ラッパ形状開口部１０は絶縁部材９の片端としたが、両端の開口部をラッパ形状としてもよい。
【０００９】
本発明は、電源回路基板と制御回路基板の２枚構成のプリント基板において、制御回路基板に電源を供給するために、プリント基板間を電気的に接続する導電部材を有する電子機器、あるいは、電動機をインバータで駆動する制御装置において、インバータ部のパワー回路基板とコンバータ部のパワー回路基板、および、それらのパワー回路基板と電源回路基板、制御回路基板等の２枚構成以上のプリント基板間を電気的に相互接続する導電部材を有する制御装置等に広く利用することができる。
【図面の簡単な説明】
【００１０】
【図１】本発明の実施例を示す導電部材の短絡保護用絶縁部材と、その周辺部材の斜視図
【図２】図１の断面図
【図３】従来の導電部材の短絡保護用絶縁部材と、その周辺部材の斜視図
【図４】図３の断面図
【符号の説明】
【００１１】
１、９  絶縁部材
２  導電部材
３  異電位の導電部材
４  組み合わせ部材Ａ
５  組み合わせ部材Ａの導電部
６  組み合わせ部材Ｂ
７  組み合わせ部材Ｂの導電部
８  ネジ
１０  絶縁部材９のラッパ形状開口部
【図１】
2008289261.tif 000003
【図２】
2008289261.tif 000004
【図３】
2008289261.tif 000005
【図４】
2008289261.tif 000006